(57)【要約】【課題】被介護者が寝たきりであったとしても介護者が履かせやすい介護用ズボンを提供する。【解決手段】側方部の大腿部近傍位置より上側が後部側と前部側とで分離されることで開放されており、当該分離部分の後部側及び前部側はそれぞれ大腿部近傍位置から上側に向かって広がった形状となっており、ズボンの後部上側に、他の部分よりも硬い素材で６０ｃｍより長く形成された腰帯部と、前記腰帯部からさらに側方に向かって伸びる、前記腰帯部よりも柔らかい素材で形成された腰紐部と、を備える介護用ズボンを採用する。【選択図】図１
2017197892.tif 000002
【特許請求の範囲】
【請求項１】
側方部の大腿部近傍位置より上側が後部側と前部側とで分離されることで開放されており、当該分離部分の後部側及び前部側はそれぞれ大腿部近傍位置から上側に向かって広がった形状となっており、
ズボンの後部上側に、他の部分よりも硬い素材で６０ｃｍより長く形成された腰帯部と、
前記腰帯部からさらに側方に向かって伸びる、前記腰帯部よりも柔らかい素材で形成された腰紐部と、を備える
介護用ズボン。
【請求項２】
前記腰帯部は、１００ｃｍよりも長く形成されている、
請求項１に記載の介護用ズボン。
【発明の詳細な説明】
【技術分野】
【０００１】
本発明の一態様は、主に寝たきりになった被介護者が着用する介護用ズボンに関するものである。
【背景技術】
【０００２】
入院患者や被介護者が着用する介護服は、診察のために着替えを容易にするなどの工夫が見られる。しかし、特に寝たきりの被介護者の場合には、着替えの際に被介護者と介護者とに多大な負担が掛かるにも関わらず、負担を軽減する工夫が十分になされていないのが現状である。従来の介護用ズボンとしては下記の特許文献１〜５に記載のようなものが開示されている。
【先行技術文献】
【特許文献】
【０００３】
【特許文献１】特開２０１４−１２２４５４号公報
【特許文献２】特開２０１４−１４８３号公報
【特許文献３】特開２００８−２６６８４６号公報
【特許文献４】特開２００６−３２２１１８号公報
【特許文献５】特開２００１−２１４３１５号公報
【発明の概要】
【発明が解決しようとする課題】
【０００４】
発明者が寝たきりとなった母親を実際に介護した経験によれば、上記のように、寝たきりの被介護者の着替えの際、被介護者は立ち上がったり腰を浮かせたりする動作が困難であるため、特にズボンの着替えの際に、被介護者及び介護者に多大な負担が掛かる。しかし、一般的な介護施設などでは、寝たきりの被介護者であっても、ある程度体を動かすことができる被介護者であっても、同じ介護用ズボンを着用しているのが現状である。
【０００５】
一方で、上記の特許文献には工夫が施された介護用ズボンについて記載されているものの、被介護者及び介護者の負担を十分かつ安全に軽減できるものは見られない。例えば、特許文献３の「介護用パジャマの下衣」では、寝たきりの被介護者の体をあまり動かさずに介護用パジャマを着せ替えられるようにするため、下衣（ズボン）のウエスト部分に棒を差し入れて操作できるようにしている。しかし、ウエスト部分に棒を入れる際には、棒の先端が被介護者の体に刺さったり擦れたりすることで怪我につながるおそれがあるし、寝た状態のままでウエスト部分に棒を入れられると被介護者が不快に感じる原因となる。また、特許文献５の「介護ハンドル付きズボン」には、ズボンの後ろ上部に介助用ハンドルを付け、着替えや移動の際に介助しやすくしようとしている。しかし、このような構成では、体がある程度自由に動く被介護者であれば有用であるかもしれないが、寝たきりの被介護者に適用したとしても十分な効果が得られない。これらの文献以外には、被介護者がズボンを着る際の課題を解決するようなものが無かった。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一の手段は、
側方部の大腿部近傍位置（４）より上側が後部側と前部側とで分離されることで開放されており（分離部分１３、２３）、当該分離部分の後部側及び前部側はそれぞれ大腿部近傍位置から上側に向かって広がった形状となっており、
ズボンの後部上側に、他の部分よりも硬い素材で６０ｃｍより長く形成された腰帯部（１１）と、
前記腰帯部からさらに側方に向かって伸びる、前記腰帯部よりも柔らかい素材で形成された腰紐部（１２）と、を備える
介護用ズボンである。
【０００８】
上記構成の介護用ズボンでは、硬い素材で形成された腰帯部を備えることで、被介護者が寝たきりであったとしても、被介護者が腰を浮かせることなく、介護者がズボンを腰部まで引き上げてズボンを履かせることが可能となる。この際、従来の介護用ズボンであれば被介護者や介護者が身体をよじらせる必要があったが、上記構成の介護用ズボンを利用することで身体をよじらせる必要がなくなる。また、腰帯部が被介護者の腰部の幅より幅広になるよう６０ｃｍより長く形成されているため、介護者が掴みやすくなっており、被介護者に履かせやすくなっている。また、腰帯部から伸びた腰紐部が、腰帯部よりも柔らかい素材で形成されているため、腰紐部を結びやすくすることができる。さらに、分離部分が形成されていることで、被介護者が履きやすいズボンにすることができる。
【０００９】
上記の介護用ズボンにおいて、好ましくは、
前記腰帯部は、１００ｃｍよりも長く形成されている。
【００１０】
上記構成の介護用ズボンによれば、腰帯部がベッドの幅程度の長さを有する形状にしているため、２人の介護者が被介護者の両側からズボンを引き上げることができ、被介護者がズボンを着用する際の被介護者及び介護者の負担を軽減することができる。
【図面の簡単な説明】
【００１１】
【図１】介護ズボンを前部側から見た図。
【図２】介護ズボンの後身頃の図。
【図３】介護ズボンの前身頃の図。
【図４】着用した状態の介護ズボンを前面側から見た図。
【発明を実施するための形態】
【００１２】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００１３】
＜１．実施形態＞
本実施形態の介護用ズボンは、介護者が被介護者に介護用ズボンを着せる際に、介護者が被介護者の両側から腰帯部を引き上げることで、介護者が腰を浮かせることなく着せることができるような構成になっている点を特徴のひとつとしている。以下、本実施形態の介護用ズボンについて具体的に説明する。
【００１４】
図１は、本実施形態の介護用ズボンを前部側（前身頃の方）から見た図である。図２は、本実施形態の介護用ズボンの前身頃のみを抜き出した図である。図３は、本実施形態の介護用ズボンの後身頃のみを抜き出した図である。図４は、被介護者が本実施形態の介護ズボンを着用した状態を示す図である。
【００１５】
図１〜図４に示されるように、本実施形態の介護用ズボンは、それぞれ裁断された後身頃１（図２参照）と前身頃２（図３参照）とを、脚部縫合部５で縫い合わせることで成形される。なお、着用した際に被介護者の前側（腹側）に位置する部分を前身頃と呼び、被介護者の後ろ側（背中側）に位置する部分を後身頃と呼ぶ。
【００１６】
＜後身頃１＞
図２に示されるように、後身頃１の上側には、腰帯部１１及び腰紐部１２が形成されている。一方で、後身頃１の下側には、前身頃２と縫合された（縫い合わされた）状態では被介護者の脚部分を覆う筒形状となる脚部１４が形成されている。後身頃１と前身頃２とは、脚部縫合部５の部分で縫い合わされることで縫合される。脚部縫合部５の上側の、被介護者が着用した際の大腿部の付け根近傍には、大腿部４が位置しており、大腿部４よりも上側では、後身頃１と前身頃２とは縫合されず、分離部分１３として解放された状態となっている。つまり、被介護者の両腰部の側方は解放される状態として形成されている。
【００１７】
腰帯部１１は、図２に斜線部で示されるとおり、後身頃１の上側であって、被介護者が着用した際には腰のやや上あたりに位置するよう配置されており、その横幅は、被介護者の腰の幅よりも少なくとも左右にそれぞれ１０ｃｍ程度以上突出するように形成されている。この腰帯部１１は、着用の際に介護者が引き上げることになる部分であるため、被介護者の側方から介護者が引き上げやすいよう、被介護者の腰の幅から、介護者が引き上げるのに便利なように、１０ｃｍほど突出するように形成されている。腰帯部１１は、例えば、着物で用いられる襟芯のように内部にプラスチックなどの硬い素材を内包する構成であってもよいし、厚手に形成された布で構成されていてもよいが、例えば介護用ズボンの脚部１４及び２４などの他の部分よりも硬い素材で形成されており、着用の際に介護者が引き上げたとしても形状が安定するようになっている。
【００１８】
つまり、腰帯部１１の長さ（横幅）は、被介護者の腰の幅にも依存するが、被介護者の腰の幅を４０ｃｍと仮定すると、概ね６０ｃｍ以上に形成されることとなる。被介護者が大柄であれば、この幅はさらに長く形成される。さらに、２人の介護者がベッドの側方からそれぞれ腰帯部１１を引き上げながら介護用ズボンを着せるようにするとより便利であるため、腰帯部１１をベッドの幅（例えば１００ｃｍ）前後よりも長い長さを有するよう形成することが好ましい。
【００１９】
腰紐部１２は、図２に示されるように、腰帯部１１から側方（横方向）にさらに伸びるように形成されており、腰帯部１１よりも柔らかい素材で形成されている。腰紐部１２は、例えば介護用ズボンの脚部１４及び２４と同じ素材など、腰帯部１１よりも柔らかい素材で形成されている。このように腰帯部が比較的柔らかい素材で形成されていることで、着用の際に結ぶ紐として機能しやすくなっている。
【００２０】
分離部分１３は、図２に示されるように、大腿部４から上側に向かって側方に徐々に広がるような形状で形成されている。後身頃１の分離部分１３は、上記の通り前身頃２とは縫合されておらず、着用の際には被介護者の腰に巻き付けるようにして着用する。このようにすることで、被介護者の腹部に負担を与えず、被介護者の腰回りの長さの違いをある程度許容することができる形状となっている。
【００２１】
＜前身頃２＞
図３に示されるように、前身頃２の下側には、後身頃１と同様に、後身頃１と縫合された（縫い合わされた）状態では被介護者の脚部分を覆う筒形状となる脚部２４が形成されている。後身頃１と縫合される脚部縫合部５の上側には、後身頃１と重なり合う位置に大腿部４が位置しており、大腿部４よりも上側は分離部分２３として解放された状態となっている。一方で、前身頃２の上側には、後身頃１と縫合されたときに上側にはみ出すはみ出し部分Ａが形成されている。このはみ出し部分Ａが形成されていることで、被介護者の腹部を適切に覆いつつ、腰帯部１１と腰紐部１２とで被介護者の腰回りを結んだ場合であっても外れにくく、着崩れが起こりづらい形状となっている。
【００２２】
また、前身頃２の上側の端部には、ダーツまたはタックを形成することで、前身頃２のはみ出し部分Ａが過度に腰から側方にはみ出ることを防止する構成にすることができる。
【００２３】
上記のように後身頃１及び前身頃２が形成され、脚部縫合部５で縫い合わされた介護ズボンは、以下のようにして、介護者のサポートにより被介護者が着用することとなる。
【００２４】
まず、被介護者の脚部に、介護用ズボンの脚部２４を完全に履かせた状態とする。そして、２人の介護者が両側から、被介護者の大腿部の下側に位置している腰帯部１１を上側に引き上げ、被介護者の臀部を超えて腰部まで引き上げていく。すると、被介護者の脚部は脚部１４により覆われた状態となり、腰部分の左右が解放された状態となる。そこで、介護者は、前身頃２の分離部分２３を被介護者の背中側に回し、さらに後身頃１の分離部分１３を被介護者の前側に回していく。そして、被介護者の前側に回された腰帯部１１と、その先に伸びる腰紐部１２とを結び、着付けていく。このとき、腰帯部１１と腰紐部１２との長さによっては、被介護者の腰を一回りして被介護者の前側で結んでもよいし、被介護者の背中側で結んでもよい。
【００２５】
このようにして、被介護者が本実施形態の介護用ズボンを着用した状態を示したのが図４である。腰帯部１１は、硬い素材で形成されているため、結び合わせづらくなっているため、腰紐部１２の位置で結ぶようになる。分離部分１３と分離部分２３とは、それぞれ被介護者の前側及び背中側に回されており、被介護者の腰部側方は、やや開放感がありながら覆われた状態とすることができている。
【００２６】
このように、本実施形態の介護用ズボンでは、硬い素材で形成された腰帯部１１を備えることで、被介護者が寝たきりであったとしても、被介護者が腰を浮かせることなく、介護者がズボンを腰部まで引き上げて、ズボンを履かせることができる。
【００２７】
また、腰帯部１１が被介護者の腰部の幅より幅広に（長く）形成されているため、介護者が掴みやすくなっており、被介護者に履かせやすくなっている。また、腰帯部１１がベッドの幅程度の長さを有する形状にすると、２人の介護者が被介護者の両側からズボンを引き上げることができ、被介護者がズボンを着用する際の被介護者及び介護者の負担を軽減することができる。
【００２８】
さらに、腰帯部から伸びた腰紐部１２は、腰帯部よりも柔らかい素材で形成されているため、腰紐部を結びやすくすることができる。さらに、分離部分２３が形成されていることで、被介護者が履きやすいズボンにすることができる。特に、寝たきりの被介護者は寝返りなどで体を動かす頻度が低いため、ズボンの脱げにくさよりも、このように履きやすさを優先させるのが好ましい。
【００２９】
＜２．補足事項＞
以上、本発明の介護用ズボンの一例についての具体的な説明を行った。上記説明では、あくまで一実施形態としての説明であって、本発明の範囲はこの一実施形態に留まらず、当業者が把握可能な範囲にまで広く解釈されるものである。
【００３０】
例えば、本発明の第一の効果である履かせやすさを考慮すると、分離部分１３及び２３は必ずしも形成されていなくてもよい。ただし、完全に着脱することなく被介護者のケアを行ったり検査を行ったりすることを考慮すると、実施形態に記載のような分離部分１３及び２３を有する構成とすることが好ましい。
【００３１】
また、脚部縫合部５は、必ずしも縫い合わされておらず、チャックやボタンなどで簡易に結合されていてもよい。例えば、脚部縫合部５をボタンなどで着脱可能に結合されるよう構成した場合、被介護者の脚部に注射や点滴などを行いやすくするため好ましい場合もある。
【００３２】
また、腰帯部１１は、プラスチックを着脱可能に内包するような構成としてもよい。この場合、洗濯の際に腰帯部１１を損傷したり、同時に洗濯する他の衣服を傷つけたりするおそれもないのが利点である。一方で、腰帯部１１の内部のプラスチックが不意にずれることがあり、被介護者に履かせづらくなってしまうこともある。
【００３３】
また、腰紐部１２は、必ずしも紐形状で形成されておらず、ベルトのように形成されていてもよい。ただし、被介護者の腰部周辺にできるだけ負担をかけず、かつ低コストに構成するためには、実施形態に記載のように腰紐部１２を紐形状に形成することが好ましい。
【産業上の利用可能性】
【００３４】
本発明は、特に寝たきりの被介護者のための介護負担を軽減する介護服として、介護施設または在宅介護において非常に有用である。また、本発明の介護用ズボンは、寝たきりの入院患者の介護負担を軽減する目的でも有効に使用可能である。
【符号の説明】
【００３５】
１…後身頃
１１…腰帯部
１２…腰紐部
１３…分離部分
１４…脚部
２…前身頃
２３…分離部分
２４…脚部
４…大腿部
５…脚部縫合部
【図１】
2017197892.tif 000003
【図２】
2017197892.tif 000004
【図３】
2017197892.tif 000005
【図４】
2017197892.tif 000006